(57)【要約】  本発明は、洗浄機能付き歯ブラシに関するものであり、歯ブラシの一方の側に水が流入し易いように大径を有する大口径及び前記大口径よりも相対的に小径を有する小口径を形成し、前記大口径と小口径との間にこれらを連通させる流路が形成された揚水部を設けることにより、歯磨きをした後に口内を洗浄するとき、前記大口径に流入した水が流路を経て小口径を介して上方に噴き上がって洗浄し易く、しかも、使い易い洗浄機能付き歯ブラシを提供するところにその目的がある。このために、本発明は、歯磨きをするときに使用する歯ブラシにおいて、前記歯ブラシ１の把柄部３には、水栓を介して下方に落下する水の方向を切り換えて上方に噴き上がるようにして洗浄が円滑に行われるようにする揚水部１０が配設され、前記揚水部１０は、一方の側に配設され、水が流入し易いように大径を有する大口径１２と、他方の側に配設され、前記大口径１２よりも相対的に小径を有し、圧力差により水が上方に噴き上がるように形成される小口径１４と、前記大口径１２及び小口径１４を連通させ、水が安定的に移動しながら圧力が働き易いように流線形状に形成される流路１６と、を備えることを特徴とする。【選択図】  図【特許請求の範囲】
【請求項１】
歯磨きをするときに使用する歯ブラシにおいて、
前記歯ブラシ（１）の把柄部（３）には、水栓を介して下方に落下する水の方向を切り換えて上方に噴き上がるようにして洗浄が円滑に行われるようにする揚水部（１０）が配設され、
前記揚水部（１０）は、
一方の側に配設され、水が流入し易いように大径を有する大口径（１２）と、
他方の側に配設され、前記大口径（１２）よりも相対的に小径を有し、圧力差により水が上方に噴き上がるように形成される小口径（１４）と、
前記大口径（１２）及び小口径（１４）を連通させ、水が安定的に移動しながら圧力が働き易いように流線形状に形成される流路（１６）と、
を備えることを特徴とする洗浄機能付き歯ブラシ。
【請求項２】
前記流路（１６）は、
大口径（１２）を介して流入する水が加速度及び回転モーメントにより小口径（１４）に排出されるとき、垂直ではない所定の角度で排出されて洗浄が行われ易いように半円形状に形成されることを特徴とする請求項１に記載の洗浄機能付き歯ブラシ。
【請求項３】
前記把柄部（３）の一方の側には、
前記揚水部（１０）の大口径（１２）又は小口径（１４）に任意に異物が浸透されることを防ぐために開閉するシャッター（２０）が更に配設されることを特徴とする請求項１に記載の洗浄機能付き歯ブラシ。
【請求項４】
前記揚水部（１０）は、大口径（１２）と、小口径（１４）及び流路（１６）が形成された筐体（１８）を備え、
前記歯ブラシ（１）の一方の側に前記筐体（１８）が出入り自在に収納されることを特徴とする請求項１乃至請求項３のうちのいずれか一項に記載の洗浄機能付き歯ブラシ。
【請求項５】
前記揚水部（１０）は、大口径（１２）と、小口径（１４）及び流路（１６）が形成された筐体（１８）を備え、
前記筐体（１８）の一方の側には、前記歯ブラシ（１）の一方の端を差し込んで立てて保管可能にする差込み溝（１７）が配設されることを特徴とする請求項１乃至請求項３のうちのいずれか一項に記載の洗浄機能付き歯ブラシ。
【請求項６】
前記差込み溝（１７）には、
前記差込み溝（１７）に差し込まれる前記歯ブラシ（１）の大きさを問わずに固定力を増幅させて立設を安定的に保持するパッキン（３０）が配設され、
前記パッキン（３０）は、
内側に歯ブラシ（１）が差し込まれる収容空間（３２）及び前記収容空間（３２）を形成する内側面に所定の高さだけ突出して歯ブラシ（１）の一方の端を支持する多数の着圧毛（３４）を備えることを特徴とする請求項５に記載の洗浄機能付き歯ブラシ。
【請求項７】
前記揚水部（１０）は、大口径（１２）と、小口径（１４）及び流路（１６）が形成された筐体（１８）を備え、
前記筐体（１８）の一方の側には、前記歯ブラシ（１）の一方の端を差し込んで一体化させる着脱溝（１５）が配設されることを特徴とする請求項１乃至請求項３のうちのいずれか一項に記載の洗浄機能付き歯ブラシ。
【請求項８】
前記着脱溝（１５）には、
前記着脱溝（１５）に差し込まれる前記歯ブラシ（１）の大きさを問わずに固定力を増幅させて一体感を保持するパッキン（３０）が配設され、
前記パッキン（３０）は、
内側に歯ブラシ（１）が差し込まれる収容空間（３２）及び前記収容空間（３２）を形成する内側面に所定の高さだけ突出して歯ブラシ（１）の一方の端を固定する固定力を増幅させる多数枚の着圧板（３６）を備えることを特徴とする請求項５に記載の洗浄機能付き歯ブラシ。
【発明の詳細な説明】
【技術分野】
【０００１】
本発明は、洗浄機能付き歯ブラシに係り、更に詳しくは、歯ブラシの一方の側に水が流入し易いように大径を有する大口径及び前記大口径よりも相対的に小径を有する小口径を形成し、前記大口径と小口径との間にこれらを連通させる流路が形成された揚水部を設けることにより、歯磨きをした後に口内を洗浄するとき、前記大口径に流入した水が流路を経て小口径を介して上方に噴き上がって洗浄し易く、しかも、使い易い洗浄機能付き歯ブラシに関する。
【背景技術】
【０００２】
一般に、歯ブラシとは、歯磨きをするときに使われるブラシのことをいい、前記歯ブラシは、一方の端に多数の刷毛が形成される歯ブラシ毛が固定される頭部及び前記頭部から所定の長さだけ延びる把柄部により構成される。
【０００３】
これにより、前記頭部の歯ブラシ毛に所定の量の歯磨きを付けた後、所定の時間をかけて歯を磨いた後、歯にできた泡を水ですすぐという一連の過程を通じて歯磨きを終える。
【０００４】
この場合、歯をすすぐ洗浄過程は、流し台に設けられた水栓を用いて水をコップに受けて行っていた。
【０００５】
しかしながら、歯磨きをするためには、歯磨き用コップを必ず備えなければならないという面倒さがあった。
【０００６】
このような面倒さに加えて、歯磨き用コップを持ち込むことをうっかり忘れて、歯磨き用コップなしに歯を洗浄する場合、流し台の水栓から排出される水を口内に直接的に受けて洗浄してしまう場合が多く、これにより、歯を洗浄する間に洗浄水が衣服に跳ね掛かったり洗浄水により衣服が濡れたりしてしまうという問題がある。
【０００７】
このような問題を解決するために案出された従来の技術によれば、米国特許第７,６０７,８５１号の図１に示すように、蛇口の水流１１８が歯ブラシの上部の一方の側に形成された第１の開口部１０８に流入し、チャンネル１０６を介して歯ブラシの上部の他方の側に形成された開口部１１０を介して噴出１２０されることにより口内を洗浄するように歯磨き用水を供給する。
【０００８】
また、大韓民国登録実用新案第４６４６４３号公報（２０１３年０１月１１日付け公告）の歯ブラシは、図２に示すように、歯に直接的に触れる歯ブラシ毛１１０と、前記歯ブラシ毛１１０が植え付けられたヘッド部１２０と、前記ヘッド部１２０から延びてユーザーが手で握る把柄部１３０と、前記把柄部１３０の一方の側に形成されて洗浄水が流入する流入口１４０と、前記流入口１４０と向かい合う把柄部１３０の他方の側に形成されて流入口１４０に供給された洗浄水を排出する排出口１５０と、前記流入口１４０と排出口１５０とを繋ぐように把柄部１３０の内部に形成され、一方の端が前記流入口１４０に接続される第１の流路及び第１の流路の他方の端から次第に狭くなる内径をもって延びる排出加圧部１６２並びに前記排出加圧部１６２の一方の端と同じ直径をもって前記排出口１５０に接続される第２の流路を有する排出流路１６０と、前記ヘッド部１２０に形成されて流入口１４０に供給された洗浄水を歯ブラシ毛１１０に向かって排出する洗浄口１７０と、前記流入口１４０と洗浄口１７０とを繋ぐように把柄部１３０の内部に形成され、一方の端が前記流入口１４０に接続される第１の流路及び前記第１の流路の他方の端から次第に狭くなる内径をもって延びる洗浄加圧部並びに洗浄加圧部の一方の端と同じ内径をもって前記洗浄口１７０に接続される第２の流路を有する洗浄流路１８０と、を備える歯ブラシにおいて、前記排出口１５０が形成された把柄部１３０の表面に把柄部１３０の表面よりも突設された盛り上がり部１５２が形成される。
【０００９】
これにより、歯ブラシの把柄部への水、すなわち、洗浄水の流入及び歯ブラシの把柄部からの水、すなわち、洗浄水の排出が行われて、流し台の水栓まで頭を俯かなくてもよい。
【００１０】
しかしながら、上述した従来の技術は、洗浄水の流入口が小さいが故に、洗浄水の無駄遣いが激しいという問題を抱えている。
【００１１】
つまり、歯ブラシに形成された流入口が小さいが故に、流し台の水栓を介して排出される水が前記流入口に円滑に流入できず、これは、水の無駄遣いにつながるという問題がある。
【００１２】
また、流入口が小さければ、水栓を介して排出される水の表面張力により流入口に水膜が形成されることにより、前記流入口への水、すなわち、洗浄水の流入が妨げられ、その結果、洗浄水の無駄遣いが招かれてしまうという問題がある。
【００１３】
上述したような問題を考慮に入れて、水栓を介して排出される水の量を少なくする場合、排出口により排出される洗浄水の圧力が落ちて排出口に洗浄水が噴き上がらないことにより洗浄効果が低下し、その結果、水栓に直接的に口を当ててすすがなければならないという面倒さがあるという問題と、衣服に洗浄水が跳ね掛かってしまうという問題が依然として存在する。
【先行技術文献】
【特許文献】
【００１４】
【特許文献１】米国特許第７,６０７,８５１号公報
【特許文献２】大韓民国登録実用新案第４６４６４３号公報
【発明の概要】
【発明が解決しようとする課題】
【００１５】
本発明は、上記のような問題を解決するために案出されたものであり、その目的は、歯ブラシの一方の側に水が流入し易いように大径を有する大口径及び前記大口径よりも相対的に小径を有する小口径を形成し、前記大口径と小口径との間にこれらを連通させる流路が形成された揚水部を設けることにより、歯磨きをした後に口内を洗浄するとき、前記大口径に流入した水が流路を経て小口径を介して上方に噴き上がって洗浄し易く、しかも、使い易い洗浄機能付き歯ブラシを提供することである。
【課題を解決するための手段】
【００１６】
上記の目的を達成するために、本発明に係る洗浄機能付き歯ブラシは、歯磨きをするときに使用する歯ブラシにおいて、前記歯ブラシの把柄部には、水栓を介して下方に落下する水の方向を切り換えて上方に噴き上がるようにして洗浄が円滑に行われるようにする揚水部が配設され、前記揚水部は、一方の側に配設され、水が流入し易いように大径を有する大口径と、他方の側に配設され、前記大口径よりも相対的に小径を有し、圧力差により水が上方に噴き上がるように形成される小口径と、前記大口径及び小口径を連通させ、水が安定的に移動しながら圧力が働き易いように流線形状に形成される流路と、を備えることを特徴とする。
【００１７】
本発明において、流路は、大口径を介して流入する水が加速度及び回転モーメントにより小口径に排出されるとき、垂直ではない所定の角度で排出されて洗浄が行われ易いように半円形状に形成されることが好ましい。
【００１８】
本発明において、把柄部の一方の側には、前記揚水部の大口径又は小口径に任意に異物が浸透されることを防ぐために開閉するシャッターが更に配設されることが好ましい。
【００１９】
本発明において、揚水部は、大口径と、小口径及び流路が形成された筐体を備え、前記歯ブラシの一方の側に前記筐体が出入り自在に収納されることが好ましい。
【００２０】
本発明において、揚水部は、大口径と、小口径及び流路が形成された筐体を備え、前記筐体の一方の側には、前記歯ブラシの一方の端を差し込んで立てて保管可能にする差込み溝が配設されることが好ましい。
【００２１】
本発明において、差込み溝には、前記差込み溝に差し込まれる前記歯ブラシの大きさを問わずに固定力を増幅させて立設を安定的に保持するパッキンが配設され、前記パッキンは、内側に歯ブラシが差し込まれる収容空間及び前記収容空間を形成する内側面に所定の高さだけ突出して歯ブラシの一方の端を支持する多数の着圧毛を備えることが好ましい。
【００２２】
本発明において、揚水部は、大口径と、小口径及び流路が形成された筐体を備え、前記筐体の一方の側には、前記歯ブラシの一方の端を差し込んで一体化させる着脱溝が配設されることが好ましい。
【００２３】
本発明において、着脱溝には、前記着脱溝に差し込まれる前記歯ブラシの大きさを問わずに固定力を増幅させて一体感を保持するパッキンが配設され、前記パッキンは、内側に歯ブラシが差し込まれる収容空間及び前記収容空間を形成する内側面に所定の高さだけ突出して歯ブラシの一方の端を固定する固定力を増幅させる多数枚の着圧板を備えることが好ましい。
【発明の効果】
【００２４】
本発明によれば、歯ブラシの一方の側に水が流入し易いように大径を有する大口径及び前記大口径よりも相対的に小径を有する小口径を形成し、前記大口径と小口径との間にこれらを連通させる流路が形成された揚水部を設けることにより、歯磨きをした後に口内を洗浄するとき、前記大口径に流入した水が流路を経て小口径を介して上方に噴き上がって洗浄し易く、しかも、使い易い洗浄機能付き歯ブラシを提供することができるという効果がある。
【００２５】
また、大口径と小口径との間に形成される流路を半円形状の流線形状にすることにより、直径による圧力差及び加速度による回転モーメントが働いて、水が所定の角度をもって噴出されて洗浄範囲を拡大することができるという効果がある。
【図面の簡単な説明】
【００２６】
【図１】従来の一例を示す歯ブラシの断面図である。
【図２】従来の他の一例を示す歯ブラシの使用状態図である。
【図３】本発明の第１の実施形態による歯ブラシの斜視図である。
【図４】本発明の第１の実施形態による歯ブラシの断面図である。
【図５】本発明の第２の実施形態による歯ブラシの一部の拡大斜視図である。
【図６】本発明の第２の実施形態による歯ブラシの一部の拡大断面図である。
【図７】本発明の第３の実施形態による歯ブラシの一部の拡大斜視図である。
【図８】本発明の第３の実施形態による歯ブラシの一部の拡大断面図である。
【図９】本発明の第４の実施形態による歯ブラシ及び揚水部の分解斜視図である。
【図１０】本発明の第４の実施形態による揚水部に歯ブラシが差し込まれた状態の断面図である。
【図１１】本発明の第５の実施形態による歯ブラシ及び揚水部の分解斜視図である。
【図１２】本発明の第５の実施形態による揚水部に歯ブラシが差し込まれた状態の断面図である。
【発明を実施するための形態】
【００２７】
以下、添付図面に基づいて、本発明の好適な実施形態について説明する。
【００２８】
本発明の歯ブラシは、一方の側に流し台の水栓を介して下方に落下する水の流路を切り換えて上方に噴き上げる揚水部を備えることにより、歯を磨いた後に口内の洗浄が円滑に行われて使い勝手が良くなる。
＜第１の実施形態＞
【００２９】
第１の実施形態の歯ブラシ１は、図３及び図４に示すように、多数の歯ブラシ毛が形成された頭部２と、前記頭部２から延び、ユーザーが握る把柄部３と、を備え、前記把柄部３の一方の側に揚水部１０が配設される。
【００３０】
前記揚水部１０は、流し台の水栓を介して水、すなわち、洗浄水の流入が円滑に行われるように大径を有する大口径１２と、前記大口径１２から所定の間隔だけ離れた個所に形成され、洗浄水が上方に噴き上がりながら外部に排出されるようにする小口径１４と、前記大口径１２と小口径１４との間に形成されて洗浄水の方向が安定的に切り換えられるようにする流路１６と、を備える。
【００３１】
前記大口径１２及び小口径１４間の直径差は、３〜１０：１であることが好ましい。
【００３２】
これは、水栓を介しての最初の洗浄水の前記大口径１２への流入が安定的に行われるとともに、洗浄水の無駄遣いが極力抑えられるように、前記小口径１４よりも大口径１２の大きさの方が拡大されることが好ましい。
【００３３】
また、前記大口径１２及び小口径１４間の直径差を拡大することにより、圧力差を生じさせて前記大口径１２を介して流入する洗浄水の流れの強さに大きく影響しなくても小口径１４を介して噴き上がる作用が手軽に行われて洗浄機能が円滑に行われる。これは、ニュートンの運動の第２法則により説明される。
【００３４】
前記流路１６は、前記大口径１２と小口径１４との間に形成されて洗浄水が安定的に移動可能なように支持する手段である。
【００３５】
前記流路１６は、前記大口径１２及び小口径１４間の直径差を緩やかにすることにより洗浄水が安定的に移動可能なように流線形状に形成されることが好ましい。
【００３６】
また、前記流路１６は、図３及び図４に示すように、半円形状に形成されることにより、前記大口径１２を介して流入した洗浄水が小口径１４に排出されるとき、移動による加速度により働く回転モーメントにより前記小口径１４を介して排出される洗浄水が垂直に噴き上がることなく、斜めな角度をもって噴き上がることにより、洗浄範囲が広くなって洗浄し易さが向上する。
＜第２の実施形態＞
【００３７】
第１の実施形態と同じ構成要素には同じ参照符号を付し、これについての詳細な説明は省略する。
【００３８】
第２の実施形態による歯ブラシ１は、図５に示すように、把柄部３の一方の側に設けられる揚水部１０を有し、前記揚水部１０の大口径１２及び小口径１４への異物の浸透を予防するために前記把柄部３により支持されるシャッター２０を備える。
【００３９】
また、前記把柄部３には、前記シャッター２０を移動自在にするガイド溝４が形成される。
【００４０】
前記シャッター２０は、前記把柄部３のガイド溝４により案内されながら前記揚水部１０に形成された大口径１２及び小口径１４を開閉するように構成されることにより、揚水部１０を使用しない場合、前記大口径１２及び小口径１４を閉鎖して異物が浸透されることを防いで衛生的に使用可能にする。
【００４１】
更に、前記シャッター２０及びガイド溝４には、前記シャッター２０の進入及び排出の長さを制御可能にする制御部材を備えることが好ましい。
【００４２】
前記制御部材は、前記シャッター２０の一方の端に所定の高さだけ突出する突起２２が配設され、前記ガイド溝４には、前記突起２２が引っ掛かる突起溝４ａが配設される。
【００４３】
これにより、前記シャッター２０の進入及び排出により前記突起２２が前記突起溝４ａに引っ掛かることにより、前記シャッター２０の進入及び排出の長さが制限されて前記シャッター２０の紛失が防がれる。
【００４４】
いうまでもなく、本発明はこれに何等限定されるものではなく、前記シャッター２０の進入及び排出の長さが制限可能な手段であれば、いずれも制限なしに使用可能である。或いは、前記シャッター２０を前記把柄部３から完全に引き抜くように配設してもよく、前記揚水部１０に任意に異物が浸透されることが防止可能なシャッター２０の構成であれば、いずれも制限なしに採用可能である。
＜第３の実施形態＞
【００４５】
第１及び第２の実施形態と同じ構成要素には同じ参照符号を付し、これについての詳細な説明は省略する。
【００４６】
第３の実施形態の歯ブラシ１は、図７及び図８に示すように、把柄部３の一方の端に揚水部１０が出入り自在に収納されるように構成される。
【００４７】
前記揚水部１０は、筐体１８を備える。
【００４８】
つまり、前記筐体１８に大口径１２と、小口径１４及び流路１６が形成されて洗浄機能が行えるように胴体を形成する。
【００４９】
また、前記筐体１８には、前記把柄部３の一方の端に収納されて出入り自在に案内するガイド部１９が配設される。
【００５０】
前記ガイド部１９は、前記筐体１８が把柄部３から出入りする状態を支持する手段である。
【００５１】
前記ガイド部１９は、図７及び図８に示すように、前記筐体１８の外周縁の片側又は両側に所定の深さを有する溝状に形成し、前記把柄部３には、前記溝状のガイド部１９に嵌め込まれる嵌入突起を形成する。いうまでもなく、本発明はこれに何等限定されるものではなく、前記把柄部３の一方の側又は一方の端から出入り可能にする構成であれば、いずれも制限なしに採用可能である。
【００５２】
更に、前記ガイド部１９には、前記揚水部１０の筐体１８の出入り長さを制御する制御部材が配設される。この場合、前記制御部材は、第２の実施形態と同じ構成を有し、本発明はこれに何等限定されるものではなく、前記把柄部３からの筐体１８の出入り長さが制御可能な構成であれば、いずれも制限なしに採用可能である。
【００５３】
一方、本明細書においては、前記筐体１８が把柄部３の先端に配設される場合を例示しているが、本発明はこれに何等限定されるものではなく、前記把柄部３の中央又は片側に配設されてもよく、これは、ユーザーのニーズ又は歯ブラシのデザインのバライエティを確保するためである。
＜第４の実施形態＞
【００５４】
第１乃至第３の実施形態と同じ構成要素には同じ参照符号を付し、これについての詳細な説明は省略する。
【００５５】
第４の実施形態の歯ブラシ１は、把柄部３の一方の側が差し込まれて、前記歯ブラシ１を使用しない場合に立てて保管可能なように揚水部１０の筐体１８の一方の側に形成された差込み溝１７を備える。
【００５６】
また、前記筐体１８は、一方の側に大口径１２が形成され、他方の側に小口径１４が形成され、前記大口径１２及び小口径１４の間に連通される流路１６が設けられる。
【００５７】
更に、前記筐体１８の一方の側には歯ブラシ１の把柄部３が立てられて前記歯ブラシ１の歯ブラシ毛が自然に乾燥されるように誘導し、保管し易くする差込み溝１７が形成される。
【００５８】
更にまた、前記差込み溝１７の内側には、既成品の歯ブラシ１の大きさを問わずに自由に使えるようにするパッキン３０が配設される。
【００５９】
前記パッキン３０は、内側に収容空間３２が形成され、前記収容空間３２が形成される内側面には所定の高さだけ突出する多数の着圧毛３４が配設される。いうまでもなく、本発明はこれに何等限定されるものではなく、前記収容空間３２に収容される歯ブラシ１の把柄部３の大きさを問わずに固定可能な構成であれば、いずれも制限なしに採用可能である。
【００６０】
加えて、前記パッキン３０は、軟質でありながらも弾性力を有するシリコン又は合成樹脂により形成されることが好ましい。いうまでもなく、本発明はこれに何等限定されるものではなく、前記収容空間３２に収容される把柄部３を安定的に固定可能な材質であれば、いずれも制限なしに使用可能である。
【００６１】
また、前記パッキン３０は、筐体１８の差込み溝１７に接着剤を塗布して固定してもよい。いうまでもなく、本発明はこれに何等限定されるものではなく、前記差込み溝１７に前記パッキン３０を安定的に固定可能な構成又は手段であれば、いずれも制限なしに使用可能である。例えば、前記差込み溝１７に溝を形成し、溝に嵌着されるように前記パッキン３０の外周縁に突起を形成してもよい。
【００６２】
このような構成を有する歯ブラシの使用状態について説明すると、歯ブラシ１を使用しない場合には、床面に揚水部１０を載せた後、筐体１８の一方の側に形成された差込み溝１７に前記歯ブラシ１の把柄部３を差し込んで立てる。
【００６３】
この場合、前記差込み溝１７にはパッキン３０が固定されており、前記パッキン３０の内側には弾性を有する多数の着圧毛３４が形成されていることにより、大きさを異にする既成品の歯ブラシ１の大きさを問わずに前記パッキン３０の収容空間３２に差し込まれながら前記多数の着圧毛３４により前記把柄部３が着圧されて前記歯ブラシ１の立設を固定する。
【００６４】
また、歯ブラシ１を使用したい場合には、前記揚水部１０の筐体１８から歯ブラシ１を引き抜いて歯磨きをし、口内のすすぎ（洗浄）は、前記揚水部１０により行われる。
＜第５の実施形態＞
【００６５】
第１乃至第４の実施形態と同じ構成要素には同じ参照符号を付し、これについての詳細な説明は省略する。
【００６６】
第５の実施形態の歯ブラシ１は、図１１及び図１２に示すように、把柄部３の一方の端に嵌め込まれてすすぎを行い易くする揚水部１０を備える。
【００６７】
前記揚水部１０は、一方の側に大口径１２が形成され、他方の側に小口径１４が形成され、前記大口径１２及び小口径１４を連通させる流路１６が形成される筐体１８を備える。前記筐体１８の一方の側には、前記把柄部３の一方の端が嵌め込まれる着脱溝１５が配設される。
【００６８】
また、前記着脱溝１５には、既成品の歯ブラシ１の大きさを問わずに自由に差し込まれて使えるように支持するパッキン３０が配設される。
【００６９】
前記パッキン３０は、軟質でありながらも弾性を有するシリコン又は合成樹脂により形成されることが好ましい。
【００７０】
更に、前記パッキン３０は、内側に収容空間３２が形成され、前記収容空間３２を形成する内側面には差し込まれる歯ブラシ１の把柄部３を着圧して固定状態を保持する少なくとも１枚以上の着圧板３６が配設される。
【００７１】
前記着圧板３６は、前記パッキン３０の収容空間３２の内側面に所定の高さだけ突出して差し込まれる把柄部３を着圧して固定力を向上させる。前記着圧板３６は、長手方向に沿って多数枚形成されて前記歯ブラシ１に固定力が増幅されるように構成することが好ましい。いうまでもなく、本発明はこれに何等限定されるものではなく、前記歯ブラシ１の把柄部３の一方の端に固定された状態が保持可能な構成であれば、いずれも制限なしに採用可能である。
【００７２】
以上述べたものは、洗浄機能付き歯ブラシを実施するために一つの実施形態に過ぎず、本発明は、上述した実施形態に何等限定されない。本発明に属する技術分野において通常の知識を有する者であれば、本発明の要旨を逸脱することなく、種々に変更して実施可能であるということが理解できる筈である。
【図１】
2018514313.tif 000002
【図２】
2018514313.tif 000003
【図３】
2018514313.tif 000004
【図４】
2018514313.tif 000005
【図５】
2018514313.tif 000006
【図６】
2018514313.tif 000007
【図７】
2018514313.tif 000008
【図８】
2018514313.tif 000009
【図９】
2018514313.tif 000010
【図１０】
2018514313.tif 000011
【図１１】
2018514313.tif 000012
【図１２】
2018514313.tif 000013
【国際調査報告】
2018514313.tif 000014
2018514313.tif 000015
2018514313.tif 000016
2018514313.tif 000017